(57)【要約】      （修正有）【課題】通常時は、ＩＣタグシールを外部との接触、アクセスから保護し、保護ケースのスライド時は、不正行為の可能性を適確に把握する。【解決手段】主制御基板ケース３は、互いに分離可能な前面ケースおよび後面ケースと、それぞれのＩＣタグシール貼付部３０２，３１２間を跨ぐように貼り付けたＩＣタグシールと、ＩＣタグシール貼付部の係止位置に形成した被係止部として溝部３０４，３１４に係止部として係合爪部を係止し、ＩＣタグシール貼付部を包囲しＩＣタグシールを保護する保護ケース４と、保護ケース内の一部に保護ケースを取り外す際のＩＣタグシール切断手段とを備え、ＩＣタグシール貼付部の係止位置から他端部にかけスライド溝として溝部を形成し、保護ケースを取り外すために保護ケースの係合爪部がＩＣタグシール貼付部の係止位置から溝部に沿ってスライドした際、ＩＣタグシール切断手段がＩＣタグシールの２箇所を切断するように構成する。【選択図】図１
2010284445.tif 000002
【特許請求の範囲】
【請求項１】
内部に制御基板が格納される制御基板ケースであって、
ＩＣタグシール貼付部がそれぞれに形成され、互いに分離可能な複数のケース体と、
前記ＩＣタグシール貼付部間を跨ぐように張り付けられ、ＩＣチップとアンテナとを備えるＩＣタグシールと、
前記ＩＣタグシール貼付部の係止位置に形成された被係止部に係止部が係止され、当該ＩＣタグシール貼付部を包囲して前記ＩＣタグシールを保護する保護ケースと、
前記保護ケース内の一部に配設され、前記保護ケースを取り外す際に前記ＩＣタグシールを切断するＩＣタグシール切断手段とを備え、
前記ＩＣタグシール貼付部の係止位置から前記ＩＣタグシール貼付部の端部にかけてスライド溝が形成され、
前記保護ケースが取り外され、前記保護ケースの前記係止部が前記ＩＣタグシール貼付部の前記係止位置から前記スライド溝に沿ってスライドさせられた際に、前記ＩＣタグシール切断手段が、前記ＩＣタグシールの少なくとも一部を切断するように構成されている
ことを特徴とする制御基板ケース。
【請求項２】
請求項１において、
前記ＩＣタグシール切断手段が、前記ＩＣタグシールの少なくとも２箇所を切断する
ことを特徴とする制御基板ケース。
【請求項３】
請求項１または請求項２において、
前記保護ケースの係止部が、係合爪部を備え、
当該係合爪部が、前記ＩＣタグシールを切断する前記ＩＣタグシール切断手段を兼ねる
ことを特徴とする制御基板ケース。
【請求項４】
請求項３において、
前記係合爪部が、前記保護ケースと一体成形されている
ことを特徴とする制御基板ケース。
【請求項５】
請求項１または請求項２において、
前記ＩＣタグシール切断手段によって前記ＩＣタグシールの前記ＩＣチップと前記アンテナ部の境界近傍の前記アンテナ部を切断する
ことを特徴とする制御基板ケース。
【請求項６】
請求項１ないし請求項５において、
前記保護ケースの一部が、その他の部分に対して脆弱性を有し、
前記保護ケースをスライドさせて前記保護ケースを取り外した際に前記ＩＣタグシール貼付部との接触によって前記保護ケースの一部が破断する
ことを特徴とする制御基板ケース。
【請求項７】
請求項１ないし請求項６のいずれかにおいて、
前記ＩＣタグシール貼付部が、前記ＩＣタグシール切断手段に対応する部位に前記ＩＣタグシール切断手段の侵入を許容するための溝部を備えている
ことを特徴とする制御基板ケース。
【発明の詳細な説明】
【技術分野】
【０００１】
本発明は、内部に制御基板が格納される制御基板ケースであって、ＩＣタグシール貼付部がそれぞれに形成され、互いに分離可能な複数のケース体と、前記ＩＣタグシール貼付部間を跨ぐように張り付けられ、ＩＣチップとアンテナとを備えるＩＣタグシールと、前記ＩＣタグシール貼付部の係止位置に形成された被係止部に係止部が係止され、当該ＩＣタグシール貼付部を包囲して前記ＩＣタグシールを保護する保護ケースと、前記保護ケース内の一部に配設され、前記保護ケースを取り外す際に前記ＩＣタグシールを切断するＩＣタグシール切断手段とを備え、前記ＩＣタグシール貼付部の係止位置から前記ＩＣタグシール貼付部の端部にかけてスライド溝が形成され、前記保護ケースが取り外され、前記保護ケースの前記係止部が前記ＩＣタグシール貼付部の前記係止位置から前記スライド溝に沿ってスライドさせられた際に、前記ＩＣタグシール切断手段が、前記ＩＣタグシールの少なくとも一部を切断するように構成される制御基板ケースに関するものである。
【背景技術】
【０００２】
従来の第１の制御基板ケースは、図２８に示すように、内側にゲームをコントロールする制御基板Ｂが収容される基板収容ケースＣが配設され、この基板収容ケースＣのケース本体ＣＢとケース蓋ＣＣの境目にはケース本体ＣＢとケース蓋ＣＣに跨ってＩＣチップ封印シールＳが接着され、ＩＣチップ封印シールＳのデータはＩＣ読取チェッカーＲによって読み取られるようになっていた。  
さらに、深夜等にパチンコ店に忍び込んで前記基板収容ケースＣに収容されている制御基板Ｂを改竄しようとして無理に基板収容ケースＣのケース蓋ＣＣを開けようとしたり、前記ＩＣチップ封印シールＳを剥がそうとしてＩＣチップ封印シールＳに不当な力が加わると、内蔵されているＩＣチップが破損するように構成されていた。
【０００３】
上記構成より成る従来の第１の制御基板ケースは、不正行為者が、制御基板を改竄しようとして基板収容ケースを不当に細工したりすると、前記ＩＣチップが破損するため、前記ＩＣ読取チェッカーでの読み取りができなくなり、このことをもって制御基板の改竄事実の有無をチェックするものであった。
【０００４】
また従来の第２の制御基板ケースは、図２９に示すように、主基板Ｂが、ボックスベースＢＢ及びボックスカバーＢＣから構成される基板ボックスに収容され、ボックスベースＢＢ及びボックスカバーＢＣにはそれぞれ貼付部ＳＢ１，ＳＢ２が形成され、両貼付部ＳＢ１，ＳＢ２を跨ぐように封印シールＳが貼り付けられるものであった。さらに、封印シールＳには、アンテナ部の長手方向に沿って等間隔で並ぶ多数のアンテナ用切り込みが形成されるものであった。
【０００５】
上記構成より成る従来の第２の制御基板ケースは、前記封印シールＳを剥がす力に伴う応力が、アンテナ部の周囲に位置するアンテナ用切り込みの端部に集中することで、アンテナ用切り込みを介して当該アンテナ部が破壊され、それに伴ってアンテナ部が分断されるため、前記従来の第１の制御基板ケース同様、不正行為者が、制御基板を改竄しようとして基板収容ケースや封印シールにアクセスした際に、当該封印シールを破損させ、スキャナーでの読み取りができなくなることをもって、制御基板の改竄事実の有無をチェックするものであった。
【先行技術文献】
【特許文献】
【０００６】
【特許文献１】特開２００５−２１３１４号公報
【特許文献２】特開２００６−３０５３１９号公報
【発明の概要】
【発明が解決しようとする課題】
【０００７】
しかしながら、上記従来の第１の制御基板ケースおよび従来の第２の制御基板ケースのように、ＩＣタグシール自体に予め切断個所を設けたり、ＩＣタグシール自体の強度を予め低いものに設定して、不正行為者がＩＣタグシールにアクセスした際に、簡単にＩＣタグシールが破断等するように構成した場合には、そもそもＩＣタグシール貼り付け時に当該ＩＣタグシールが破断してしまい、不正行為が行われる前にＩＣタグシールの機能が失われ、不正行為の事実の有無を検知するという目的を果たすことができなくなるという問題があった。これは、上記従来の第２の制御基板ケースのように両貼付部を跨るようにＩＣタグシールを折り曲げて貼り付ける場合には、ＩＣタグシールに負荷がかかるため特に顕著な問題となる。
【０００８】
また、仮に破断せずにＩＣタグシールを貼り付けることができたとしても、当該ＩＣタグシールが、制御基板ケースに剥き出しの状態で貼り付けられているため、制御基板ケースを遊技機に搭載する時や、何らかの点検等を行う際の接触などによって、前記ＩＣタグシールが簡単に破断してしまうとゆう問題があった。
【０００９】
これは、発明の究極の目的が、ＩＣタグシールが破断したこと自体を検知することではなく、不正行為者の不正な行為によってＩＣタグシールが破断されたことを検知することであることを考えると、本末転倒な結果となる。
【００１０】
また、制御基板ケースへの不正開放または不正操作によって破断した前記ＩＣタグシールの１箇所を丁寧に調整することによりＩＣチップ部またはおよび送受信アンテナ部が修復された場合に、前記制御基板ケースへの不正開放または不正操作をリーダーによって検知出来ないという問題もあった。
【００１１】
そこで本発明者らは、内部に制御基板が格納される制御基板ケースであって、ＩＣタグシール貼付部がそれぞれに形成され、互いに分離可能な複数のケース体と、前記ＩＣタグシール貼付部間を跨ぐように張り付けられ、ＩＣチップとアンテナとを備えるＩＣタグシールと、前記ＩＣタグシール貼付部の係止位置に形成された被係止部に係止部が係止され、当該ＩＣタグシール貼付部を包囲して前記ＩＣタグシールを保護する保護ケースと、前記保護ケース内の一部に配設され、前記保護ケースを取り外す際に前記ＩＣタグシールを切断するＩＣタグシール切断手段とを備え、前記ＩＣタグシール切断手段が、前記保護ケースを取り外すために前記ＩＣタグシール貼付部の前記係止位置から前記保護ケースが引き抜かれた際に前記ＩＣタグシールの少なくとも一部を切断するように構成するという本発明の技術的思想に着眼して、さらに研究開発を重ねた結果、通常時には、ＩＣタグシールを外部との接触およびアクセスから保護するとともに、前記保護ケースが引き抜かれたときには、不正行為が行われた可能性があることを適確に把握するという目的を達成する本発明に到達した。
【００１２】
また本発明者らは、内部に制御基板が格納される制御基板ケースであって、ＩＣタグシール貼付部がそれぞれに形成され、互いに分離可能な複数のケース体と、前記ＩＣタグシール貼付部間を跨ぐように張り付けられ、ＩＣチップとアンテナとを備えるＩＣタグシールと、前記ＩＣタグシール貼付部の係止位置に形成された被係止部に係止部が係止され、当該ＩＣタグシール貼付部を包囲して前記ＩＣタグシールを保護する保護ケースと、前記保護ケース内の一部に配設され、前記保護ケースを取り外す際に前記ＩＣタグシールを切断するＩＣタグシール切断手段とを備え、前記ＩＣタグシール切断手段が、前記保護ケースを取り外すために前記ＩＣタグシール貼付部の前記係止位置から前記保護ケースが引き抜かれた際に前記ＩＣタグシールの少なくとも２箇所を切断するように構成するという本発明の技術的思想に着眼して、さらに研究開発を重ねた結果、ＩＣタグシール切断後に切断面を綺麗に元に戻された場合でも、ＩＣタグシールの切断事実の有無を確実に検知し、制御基板に対する不正行為が行われた可能性があることを適確に把握するという目的を達成する本発明に到達した。
【課題を解決するための手段】
【００１３】
本発明（請求項１に記載の第１発明）の制御基板ケースは、
内部に制御基板が格納される制御基板ケースであって、
ＩＣタグシール貼付部がそれぞれに形成され、互いに分離可能な複数のケース体と、
前記ＩＣタグシール貼付部間を跨ぐように張り付けられ、ＩＣチップとアンテナとを備えるＩＣタグシールと、
前記ＩＣタグシール貼付部の係止位置に形成された被係止部に係止部が係止され、当該ＩＣタグシール貼付部を包囲して前記ＩＣタグシールを保護する保護ケースと、
前記保護ケース内の一部に配設され、前記保護ケースを取り外す際に前記ＩＣタグシールを切断するＩＣタグシール切断手段とを備え、
前記ＩＣタグシール貼付部の係止位置から前記ＩＣタグシール貼付部の端部にかけてスライド溝が形成され、
前記保護ケースが取り外され、前記保護ケースの前記係止部が前記ＩＣタグシール貼付部の前記係止位置から前記スライド溝に沿ってスライドさせられた際に、前記ＩＣタグシール切断手段が、前記ＩＣタグシールの少なくとも一部を切断するように構成されている
ものである。
【００１４】
本発明（請求項２に記載の第２発明）の制御基板ケースは、
前記第１発明において、
前記ＩＣタグシール切断手段が、前記ＩＣタグシールの少なくとも２箇所を切断する
ものである。
【００１５】
本発明（請求項３に記載の第３発明）の制御基板ケースは、
前記第１発明または前記第２発明において、
前記保護ケースの係止部が、係合爪部を備え、
当該係合爪部が、前記ＩＣタグシールを切断する前記ＩＣタグシール切断手段を兼ねる
ものである。
【００１６】
本発明（請求項４に記載の第４発明）の制御基板ケースは、
前記第３発明において、
前記係合爪部が、前記保護ケースと一体成形されている
ものである。
【００１７】
本発明（請求項５に記載の第５発明）の制御基板ケースは、
前記第１発明または前記第２発明において、
前記ＩＣタグシール切断手段によって前記ＩＣタグシールの前記ＩＣチップと前記アンテナ部の境界近傍の前記アンテナ部を切断する
ものである。
【００１８】
本発明（請求項６に記載の第６発明）の制御基板ケースは、
前記第１発明ないし前記第５発明のいずれかにおいて、
前記保護ケースの一部が、その他の部分に対して脆弱性を有し、
前記保護ケースをスライドさせて前記保護ケースを取り外した際に前記ＩＣタグシール貼付部との接触によって前記保護ケースの一部が破断する
ものである。
【００１９】
本発明（請求項７に記載の第７発明）の制御基板ケースは、
前記第１発明ないし前記第６発明のいずれかにおいて、
前記ＩＣタグシール貼付部が、前記ＩＣタグシール切断手段に対応する部位に前記ＩＣタグシール切断手段の侵入を許容するための溝部を備えている
ものである。
【発明の効果】
【００２０】
上記構成より成る第１発明の制御基板ケースは、前記ＩＣタグシール貼付部の係止位置に形成された被係止部に係止部が係止され、当該ＩＣタグシール貼付部を包囲して前記ＩＣタグシールを保護する前記保護ケースを取り外すために、互いに分離可能な複数のケース体にそれぞれに形成され、ＩＣタグシール６が跨ぐように貼り付けられた前記ＩＣタグシール貼付部の前記係止位置から前記保護ケースが不正行為者によって取り外され、前記保護ケースの前記係止部が前記ＩＣタグシール貼付部の前記係止位置から前記スライド溝に沿ってスライドさせられた際に、前記保護ケース内の一部に配設された前記ＩＣタグシール切断手段が前記ＩＣタグシールの少なくとも一部を切断するので、通常時には、ＩＣタグシールを外部との接触およびアクセスから保護するとともに、前記保護ケースがスライドさせられたときには、不正行為が行われた可能性があることを適確に把握できるという効果を奏する。
【００２１】
上記構成より成る第２発明の制御基板ケースは、前記第１発明において、不正行為者によって保護ケースがスライドさせられた際に、前記ＩＣタグシール切断手段によって前記ＩＣタグシールの少なくとも２箇所が切断されるので、ＩＣタグシール切断後に切断面を綺麗に元に戻された場合でも、ＩＣタグシールの切断事実の有無を確実に検知し、制御基板に対する不正行為が行われた可能性があることを適確に把握できるという効果を奏する。
【００２２】
上記構成より成る第３発明の制御基板ケースは、前記第１発明または前記第２発明において、前記ＩＣタグシール切断手段を兼ねた前記保護ケースの前記係止部の前記係合爪部が、前記ＩＣタグシールを切断するので、部品点数が少なく、簡素な構成でコストダウンが可能となるという効果を奏する。
【００２３】
上記構成より成る第４発明の制御基板ケースは、前記第３発明において、前記係合爪部が前記保護ケースと一体成形されるので、さらに部品点数が少なく、簡素な構成でコストダウンが可能となるという効果を奏する。
【００２４】
上記構成より成る第５発明の制御基板ケースは、前記第１発明または前記第２発明において、前記ＩＣタグシール切断手段によって前記ＩＣタグシールの前記ＩＣチップと前記アンテナ部の境界近傍の前記アンテナ部が切断されるので、有効アンテナ長を短くして、ＩＣチップの通信機能を確実に抹消することができるという効果を奏する。
【００２５】
上記構成より成る第６発明の制御基板ケースは、前記第１発明ないし前記第５発明において、不正行為者が前記保護ケースをスライドさせて前記保護ケースを取り外した際に、その他の部分に対して脆弱性を有した前記保護ケースの一部が、前記ＩＣタグシール貼付部との接触によって破断するので、リーダー・ライターによる検査に加え、目視による不正行為の検査も可能にするという効果を奏する。
【００２６】
上記構成より成る第７発明の制御基板ケースは、前記第１発明ないし前記６発明のいずれかにおいて、前記ＩＣタグシール切断手段が、前記ＩＣタグシール貼付部の前記ＩＣタグシール切断手段に対応する部位に配設された溝部に侵入するので、ＩＣタグシール切断手段によるＩＣタグシールの切断をより確実に実現できるという効果を奏する。
【図面の簡単な説明】
【００２７】
【図１】本発明の第１実施例の制御基板ケースにおける保護ケースをＩＣタグシール貼付部に装着した状態を示す斜視図である。
【図２】本第１実施例のパチンコ遊技機を前方から見た説明図である。
【図３】本第１実施例のパチンコ遊技機を後方から見た説明図である。
【図４】本第１実施例の主制御基板ケースを示す分解斜視図である。
【図５】本第１実施例におけるＩＣタグシール貼付部の構成を示す斜視図である。
【図６】本発明の実施例において用いるＩＣタグシールの構成を示した説明図である。
【図７】図５中のＡ−Ａ線に沿って切断した断面を示す断面図である。
【図８】本第１実施例におけるＩＣタグシール貼付部にＩＣタグシールを貼り付けた状態を示す斜視図である。
【図９】本第１実施例の主制御基板ケースの保護ケースの具体的構成を示す説明図である。
【図１０】本第１実施例における保護ケースをＩＣタグシール貼付部に装着する過程を上方から見た説明図である。
【図１１】図１０中のＡ−Ａ線に沿って切断した断面を示す断面図である。
【図１２】本第１実施例における保護ケースをＩＣタグシール貼付部から取り外す過程を示す上方から見た説明図である。
【図１３】図１２中のＡ−Ａ線に沿って切断した断面を示す断面図である。
【図１４】本第１実施例におけるＩＣタグシール切断手段によって切断されたＩＣタグシールを展開した状態を示す説明図である。
【図１５】本第２実施例におけるＩＣタグシール貼付部の構成を示す斜視図である。
【図１６】図１５中のＡ−Ａ線に沿って切断した断面を示す断面図である。
【図１７】本第２実施例におけるＩＣタグシール貼付部にＩＣタグシールを貼り付けた状態を示す斜視図である。
【図１８】本第２実施例における保護ケースをＩＣタグシール貼付部に装着した状態を示す斜視図である。
【図１９】本第２実施例の主制御基板ケースの保護ケースの内部を示す斜視図である。
【図２０】本第２実施例における保護ケースの具体的構成を示す断面図および正面図である。
【図２１】本第２実施例における保護ケースをＩＣタグシール貼付部に装着する過程を上方から見た説明図である。
【図２２】図２１中のＡ−Ａ線に沿って切断した断面を示す断面図である。
【図２３】本第２実施例における保護ケースをＩＣタグシール貼付部から取り外す過程を示す上方から見た説明図である。
【図２４】図２３中のＡ−Ａ線に沿って切断した断面を示す断面図である。
【図２５】本第２実施例におけるＩＣタグシール切断手段によって切断されたＩＣタグシールを展開した状態を示す説明図である。
【図２６】本第３実施例における保護ケースをＩＣタグシール貼付部に装着した状態を示す斜視図である。
【図２７】本第３実施例における保護ケースをＩＣタグシール貼付部から取り外す過程を示す断面図である。
【図２８】従来の第１の制御基板ケースの構成を示す説明図である。
【図２９】従来の第２の制御基板ケースの構成を示す説明図である。
【発明を実施するための形態】
【００２８】
以下、本発明の最良の実施形態について、実施例に基づき図面を用いて説明する。
【実施例１】
【００２９】
本第１実施例の制御基板ケースは、図１ないし図１３に示すように内部に主制御基板５が格納される主制御基板ケース３であって、ＩＣタグシール貼付部３０２，３１２がそれぞれに形成され、互いに分離可能な複数のケース体としての前面ケース３０および後面ケース３１と、前記ＩＣタグシール貼付部３０２，３１２間を跨ぐように張り付けられ、ＩＣチップ６３とアンテナ部６２とを備えるＩＣタグシール６と、前記ＩＣタグシール貼付部３０２，３１２の係止位置に形成された被係止部としての溝部３０６，３１６に係止部としての係合爪部４２２ｄ，４２２ｅが係止され、前記ＩＣタグシール貼付部３０２，３１２を包囲して前記ＩＣタグシール６を保護する保護ケース４と、前記保護ケース４内の一部に配設され、前記保護ケース４を取り外す際に前記ＩＣタグシール６を切断するＩＣタグシール切断手段とを備え、前記ＩＣタグシール貼付部３０２，３１２の係止位置から前記ＩＣタグシール貼付部３０２，３１２の他方の端部にかけてスライド溝としての溝部３０４，３１４が形成され、前記保護ケース４を取り外すために、前記保護ケース４の前記係合爪部４２２ｄ，４２２ｅが前記ＩＣタグシール貼付部３０２，３１２の前記係止位置から前記溝部３０４，３１４に沿ってスライドさせられた際に、前記ＩＣタグシール切断手段が、前記ＩＣタグシール６の２箇所を切断するように構成されている。
【００３０】
ここでパチンコ遊技機１は、図２に示すように前面枠１０を備え、前面枠１０には、遊技者が操作ハンドル１１を操作することによって発射された遊技球が流下する遊技領域１２を備える。当該遊技領域１２の中央部には、様々な図柄等が変動表示される図示しない図柄変動表示装置が配設され、その下部には、図示しない始動入賞口が配設されている。当該始動入賞口に遊技球が入賞することを契機として遊技制御基板による大当たり抽選が行われる。前記始動入賞口の下部には、アタッカーが配設され、当該アタッカーは、大当たり発生時に所定回数だけ開放状態となり多数の遊技球が入賞するように構成されている。
【００３１】
盤裏１３には、図３に示すように盤裏カバー２がヒンジ部２０ａ，２０ｂによって揺動自在に支持され、主制御基板ケース３が、前記盤裏カバー２とその一部が前後に重なり合うように、ヒンジ部３１ａおよび３１ｂによって揺動自在に配設されている。これは、前後に重なり合う部材が存在する場合において、隠れた部位を容易に確認できるようにするための工夫である。
【００３２】
当該主制御基板ケース３は、図４に示すように図３中手前に位置する前面ケース３０と、図３中後方に位置する後面ケース３１とからなり、主制御基板５が、当該前面ケース３０と後面ケース３１との間に介装される。前記前面ケース３０および前記後面ケース３１は、ともに透光性材料によって構成され、外部から内部に格納された主制御基板５を視認できるようになっている。当該主制御基板５には、図示しないＣＰＵ、ＲＯＭおよびＲＡＭ等が実装されている。また、前記前面ケース３０と後面ケース３１とは、前面ケース３０に配設されたカシメピン３０１ａ，３０１ｂを後面ケースのカシメ受け３１１ａ，３１１ｂにかしめるとともに、ＩＣタグシール貼付部３０２，３１２において、ネジ３０５をネジ穴３１５に螺合することによって固定するものである。
【００３３】
前記前面ケース３０の前記ＩＣタグシール貼付部３０２は、図５に示すように前記前面ケース３０の図３中左側面たる前面ケース側面３０３の一部に突設され、矩形の手前面３０２ｄには、後述するＩＣタグシール切断手段としても機能する係合爪部４２２ｄの切断方向への移動を許容する矩形の横断面形状の溝部３０４が前記主制御基板ケース３の短手方向すなわち手前面３０２ｄの長手方向に沿って直線的に延在形成されている。
【００３４】
同様に前記後面ケース３１の前記ＩＣタグシール貼付部３１２は、前記後面ケース３１の左側面たる後面ケース側面３１３の一部に突設され、前記前面ケース３０のＩＣタグシール貼付部３０２と向かい合うように形成されている。なお当該ＩＣタグシール貼付部３１２の矩形の奥面３１２ｅには、前面ケース３０の前記ＩＣタグシール貼付部３０２と同様に後述するＩＣタグシール切断手段としても機能する係合爪部４２２ｅの切断方向への移動を許容する矩形の横断面形状の溝部３１４が前記主制御基板ケース３の短手方向すなわち奥面３１２ｅの長手方向に沿って直線的に延在形成されている。
【００３５】
また溝部３０６，３１６が、図７に示すように前記ＩＣタグシール貼付部３０２，３１２の前記溝部３０４，３１４内の一部に配設され、その深さが、前記溝部３０４，３１４の深さに比して深くなるように形成されている。後述する前記保護ケース４の係合爪部４２２ｄ，４２２ｅは、前記溝部３０６，３１６に係合支持され、前記保護ケース４を係止位置に安定的に係止するように構成されているものである。
【００３６】
次にＩＣタグシール６の具体的構成について、図６を用いて説明する。
【００３７】
前記ＩＣタグシール６は、図６（Ｂ）中のＡ−Ａ線に沿って切断した断面を示す図６（Ｃ）に示すように、ベースシートたる表面６０を備え、当該表面６０の背面には粘着材が塗布され粘着層６５が形成されている。また、ＩＣチップ６３とその両端部に延在するアンテナ部６２とからなる長尺矩形形状のインレットが、前記粘着層６５の対角線上の一部に位置するように配設されている。さらに、ＩＣタグシール６をＩＣタグシール貼付部３０２，３１２に貼り付けるまで、前記粘着層６５と他の物との粘着を防止する剥離紙６４を貼り付けておく。
【００３８】
前記インレットは、前記ＩＣタグシール６の裏面を示す図６（Ｂ）に示すようにＩＣチップ６３とアンテナ部６２より構成され、長尺状のアンテナ部６２の中央付近にＩＣチップ６３が配置されており、当該ＩＣチップ６３は、固有の識別番号、すなわちＩＤ等の各種情報を記憶・格納するためのメモリーを備える。
【００３９】
本第１実施例のパチンコ遊技機１で用いるＩＣタグシール６は、周波数帯域２．４５ＧＨｚのパッシブ型の無線ＩＣタグを採用しており、リーダー・ライター側のアンテナからＩＣタグシール６に向けて電波としてエネルギーとコマンドを送信すると、当該ＩＣタグシール６の中のアンテナ部６２で電波を受け、この電波を前記ＩＣチップ６３内の図示しない整流回路に送る。ＩＣチップ６３は、当該整流回路において電波の高周波エネルギーを整流して直流に変換し、その電流をエネルギーとして使用するものである。
【００４０】
前記リーダー・ライター側からのコマンドが読み出し命令であれば、前記ＩＣチップ６３は、内蔵された前記メモリーからＩＤ情報等の各種データを読み出し、ＩＣタグシールのアンテナ部６２からリーダー・ライター側のアンテナに向けて電波を送信し、リーダー・ライター側との通信を行うものである。
【００４１】
上述したように、前記ＩＣタグシール６が保有する各種情報は、ＩＣチップ６３のメモリーに格納された情報をリーダー・ライターとの無線通信において確認する方法が採られるが、人間の目視による確認も可能にするため、必要に応じて、前記ＩＣタグシール６の表面を示す図６（Ａ）に示すようにＩＣタグシール６の表面６０の一部に各種の情報を記載する情報記載部６６を設ける。
【００４２】
前記ＩＣタグシール６は、図８に示すように前記前面ケース３０のＩＣタグシール貼付部３０２と前記後面ケース３１のＩＣタグシール貼付部３１２とに跨るように貼り付けられる。すなわち、ＩＣタグシール６の短辺の断面が、略コの字状になるようにＩＣタグシール貼付部３０２，３１２に貼り付けられるものである。
【００４３】
また前記ＩＣタグシール貼付部３０２に配設された前記溝部３０４，３１４は、貼り付けられたＩＣタグシール６によってその一部が隠れるようになっており、前記溝部３０４，３１４内の前記溝部３０６，３１６は、前記ＩＣタグシール６によって隠されないよう前記溝部３０４，３１４の端部近くに配設されている。さらに、前記ＩＣタグシール６のアンテナ部６２の一部が、前記溝部３０４，３１４上に位置するように貼り付けられるものである。
【００４４】
次に本第１実施例の保護ケース４の具体的構成について、図９（Ａ）ないし（Ｃ）を用いて説明する。
【００４５】
前記保護ケース４は、非透光性材料によって構成される先端面４０ｃ、手前面４０ｄおよび奥面４０ｅによって開放面以外を覆うように略コの字状に構成される。
【００４６】
前記保護ケース４は、その前記手前面４０ｄおよび前記奥面４０ｅの内面にそれぞれ前記係合爪部４２２ｄ，４２２ｅが突設され、当該係合爪部４２２ｄ，４２２ｅは、テーパー４２２０ｄ，４２２０ｅおよび垂直面４２３０ｄ，４２３０ｅとその側面によって構成され、その縦断面が三角形形状となっている。
【００４７】
前記係合爪部４２２ｄ，４２２ｅは、前記保護ケース４が前記ＩＣタグシール貼付部３０２，３１２に取り付けられた際に、前記垂直面４２３０ｄ，４２３０ｅが前記ＩＣタグシール貼付部３０２，３１２の前記溝部３０４，３１４内の前記溝部３０６，３１６に係合して保護ケース４をＩＣタグシール貼付部３０２，３１２に対して係合状態として、図５中右方へ移動させて前記保護ケース４を取り外すことが出来ないように構成されているものである。
【００４８】
また前記係合爪部４２２ｄ，４２２ｅは、前記ＩＣタグシール６を切断する前記ＩＣタグシール切断手段を構成するものであって、前記係合爪部４２２ｄ，４２２ｅの厚さＴが非常に小さく設定されているため、前記係合爪部４２２ｄ，４２２ｅがスライド溝としての前記溝部３０４，３１４をスライド移動した際に前記ＩＣタグシール６を切断しやすいように構成されている。
【００４９】
さらに前記保護ケース４の前記先端面４０ｃ、手前面４０ｄおよび奥面４０ｅ以外の面は開放面となっているため、前記手前面４０ｄおよび前記奥面４０ｅは、保護ケース４内方からの外方へ押しやる力によって外方に弾性変形可能となっている。
【００５０】
なお前記係合爪部４２２ｄ，４２２ｅは、非透光性材料を射出成形して前記保護ケース４と一体成形されるものである。
【００５１】
以下上記構成より成る本第１実施例の制御基板ケースの作用および効果について説明する。
【００５２】
前記保護ケース４を前記ＩＣタグシール貼付部３０２，３１２に取り付ける際の過程を、図１０（Ａ）ないし（Ｃ）および図１１（Ａ）ないし（Ｃ）を用いて説明する。
【００５３】
上記構成より成る本第１実施例のパチンコ遊技機において、前記保護ケース４が前記ＩＣタグシール貼付部３０２，３１２に装着するために前記ＩＣタグシール貼付部３０２，３１２の右側面方向からスライド移動させられると、前記保護ケース４の左開放面が前記ＩＣタグシール貼付部３０２，３１２に差し掛かり、前記保護ケース４と前記ＩＣタグシール貼付部３０２，３１２およびその上に貼られた前記ＩＣタグシール６とが接触することなくスライド移動する。
【００５４】
前記保護ケース４の殆どが前記ＩＣタグシール貼付部３０２，３１２を覆い隠す程にスライド移動して、図１０（Ｂ）および図１１（Ｂ）に示すように前記保護ケース４内部に突設された前記係合爪部４２２ｄ，４２２ｅの前記テーパー４２２０ｄ，４２２０ｅが、前記ＩＣタグシール貼付部３０２，３１２の前記溝部３０４，３１４に到達すると、前記テーパー４２２０ｄ，４２２０ｅが前記ＩＣタグシール貼付部３０２，３１２に対して外方へ押しやられ、前記保護ケース４の前記手前面４０ｄおよび前記奥面４０ｅの図１１（Ｂ）中右端部が外方に向かって弾性変形する。
【００５５】
これにより前記保護ケース４を前記ＩＣタグシール貼付部３０２，３１２に対してさらにスライド移動させることが可能となり、前記手前面４０ｄおよび奥面４０ｅの拡開状態を維持しながら前記係合爪部４２２ｄ，４２２ｅが前記ＩＣタグシール貼付部３０２，３１２の係止位置を決める前記溝部３０６，３１６に到達するまで前記保護ケース４がスライド移動させられる。図１１（Ｃ）に示すように、前記係合爪部４２２ｄ，４２２ｅが前記溝部３０６，３１６に到達して、前記手前面４０ｄおよび奥面４０ｅの拡開状態から自然状態へと復帰することにより前記係合爪部４２２ｄ，４２２ｅが前記溝部３０６，３１６に係合し、前記保護ケース４が前記ＩＣタグシール貼付部３０２，３１２に対して係合された状態となる。
【００５６】
次に、保護ケース４が取り外される際の動作について、図１２（Ａ）ないし（Ｃ）および図１３（Ａ）ないし（Ｃ）を用いて説明する。
【００５７】
保護ケース４が、図１２（Ａ）に示す保護ケース４の装着状態から、図１２（Ｂ）に示すように図中下方に向かって前記ＩＣタグシール貼付部３０２，３１２からスライドさせられると、前記係合爪部４２２ｄ，４２２ｅが前記溝部３０６，３１６から脱出して再び前記溝部３０４，３１４内をスライド移動する。この際前記係合爪部４２２ｄ，４２２ｅの前記テーパー４２２０ｄ，４２２０ｅが、前記ＩＣタグシール６を前記溝部３０４，３１４に沿って切断しながら移動し、図１２（Ｃ）に示すように前記ＩＣタグシール６を直線的に切断し終わり、前記係合爪部４２２ｄ，４２２ｅが前記溝部３０４，３１４から離脱すると、前記保護ケース４が前記ＩＣタグシール貼付部３０２，３１２から取り外される。
【００５８】
なお本第１実施例においては、図１４に示すように前記係合爪部４２２ｄ，４２２ｅによって切断された前記ＩＣタグシール６を展開すると、前記ＩＣチップ６３の両端部に延びたアンテナ部６２のうち、前記ＩＣチップ６３から図中右上に延びたアンテナ部６２の一箇所と前記ＩＣチップ６３から図中左下に延びたアンテナ部６２の一箇所の合計２箇所が切断され、アンテナの実効長が短くなるものである。
【００５９】
上記作用を奏する本第１実施例の制御基板ケースは、前記ＩＣタグシール貼付部３０２，３１２の係止位置に形成された被係止部としての前記溝部３０６，３１６に係止部としての前記係合爪部４２２ｄ，４２２ｅが係止され、当該ＩＣタグシール貼付部３０２，３１２を包囲して前記ＩＣタグシール６を保護する前記保護ケース４を取り外すために、互いに分離可能な複数のケース体としての前記前面ケース３０および前記後面ケース３１にそれぞれに形成され、ＩＣタグシール６が跨ぐように貼り付けられた前記ＩＣタグシール貼付部３０２，３１２の前記係止位置から前記保護ケース４が不正行為者によって取り外され、前記保護ケース４の前記係合爪部４２２ｄ，４２２ｅが前記ＩＣタグシール貼付部３０２，３１２の前記係止位置から前記スライド溝としての前記溝部３０４，３１４に沿ってスライドさせられた際に、前記保護ケース４内の一部に配設された前記ＩＣタグシール切断手段が前記ＩＣタグシール６の２箇所を切断するので、通常時には、ＩＣタグシール６を外部との接触およびアクセスから保護するとともに、前記保護ケース４がスライドさせられたときには、不正行為が行われた可能性があることを適確に把握できるという効果を奏する。
【００６０】
また本第１実施例の制御基板ケースは、不正行為者によって前記保護ケース４がスライドさせられた際に、前記ＩＣタグシール切断手段としても機能する前記係合爪部４２２ｄ，４２２ｅによって前記ＩＣタグシール６の２箇所が切断されるので、ＩＣタグシール６切断後に切断面を綺麗に元に戻された場合でも、ＩＣタグシール６の切断事実の有無を確実に検知し、主制御基板５に対する不正行為が行われた可能性があることを適確に把握できるという効果を奏する。
【００６１】
さらに本第１実施例の制御基板ケースは、前記主制御基板ケース３が、互いに分離可能な前面ケース３０と後面ケース３１とによって構成されているため、当該主制御基板ケース３を開放して改竄の対象たる主制御基板５にアクセスするためには、前記前面ケース３０と後面ケース３１とに跨るように貼り付けられたＩＣタグシール６の取り外しが必要なところ、このＩＣタグシール６にアクセスするためには、当該ＩＣタグシール６を保護する前記保護ケース４をスライドさせて取り外すことが必須となり、不正行為者によって、当該保護ケース４がスライドさせられると、確実に前記係合爪部４２２ｄ，４２２ｅが前記ＩＣタグシール６を切断するため、不正行為の痕跡を確実に残すことができるという効果を奏する。
【００６２】
また本第１実施例の制御基板ケースは、前記ＩＣタグシール切断手段を兼ねた前記保護ケース４の前記係合爪部４２２ｄ，４２２ｅが、前記ＩＣタグシール６を切断するので、部品点数が少なく、簡素な構成でコストダウンが可能となるという効果を奏する。
【００６３】
さらに本第１実施例の制御基板ケースは、前記係合爪部４２２ｄ，４２２ｅが前記保護ケース４と一体成形されるので、さらに部品点数が少なく、簡素な構成でコストダウンが可能となるという効果を奏する。
【００６４】
また本第１実施例の制御基板ケースは、前記ＩＣタグシール切断手段としても機能する前記係合爪部４２２ｄ，４２２ｅが、前記ＩＣタグシール貼付部３０２，３１２の前記係合爪部４２２ｄ，４２２ｅに対応する部位に配設された前記溝部３０４，３１４に侵入して移動するので、前記係合爪部４２２ｄ，４２２ｅによるＩＣタグシール６の切断をより確実に実現できるという効果を奏する。
【００６５】
さらに本第１実施例の制御基板ケースは、前記保護ケース４を非透光性材料によって構成して外部から視認できないようにしたので、不用意に当該保護ケース４を外した不正行為者に対して、ＩＣタグシール６の切断により不正行為の痕跡が残ったことを認識させるので、その後の重大な不正行為（制御基板ケースの開放および制御基板の改竄等）をある程度抑制できるという効果を奏する。
【実施例２】
【００６６】
本第２実施例の制御基板ケースは、図１４ないし図２５に示すように保護ケース４がさらに右側面４０ｂを備える点、前記ＩＣタグシール貼付部３０２，３１２にＬの字状に接続される深さの異なる溝部３０７，３１７と溝部３０８，３１８が配設される点、前記ＩＣタグシール貼付部３０２，３１２の先端面３０２ｃ，３１２ｃのＩＣタグシール切断手段７０，７１に対応する位置に溝部３０４，３１４が配設される点、および前記保護ケース４が透光性材料によって構成される点が上述の第１実施例との主な相違点であり、以下相違点を中心に説明する。
【００６７】
本第２実施例のＩＣタグシール貼付部３０２，３１２について、図１５を用いて詳細に説明する。
【００６８】
前記ＩＣタグシール貼付部３０２は、実施例１同様前記前面ケース３０の左側面たる前面ケース側面３０３の一部に突設され、後述するＩＣタグシール切断手段７０の切断方向への移動を許容する前記溝部３０４が、前記先端面３０２ｃの右端部付近から左端部に亘って直線的に形成されている。
【００６９】
同様に前記後面ケース３１は、前記ＩＣタグシール貼付部３１２が、前記後面ケース３１の左側面たる後面ケース側面３１３の一部に突設され、前記前面ケース３０のＩＣタグシール貼付部３０２と向かい合うように形成されている。また後述するもう一つのＩＣタグシール切断手段７１の切断方向への移動を許容する前記溝部３１４が、前記溝部３０４同様、前記ＩＣタグシール貼付部３１２の先端面３１２ｃの右端部付近から左端部に亘って直線的に形成されるものである。
【００７０】
また溝部３０７，３１７および溝部３０８，３１８が、前記ＩＣタグシール貼付部３０２，３１２の手前面３０２ｄおよび奥面３１２ｅにおいてそれぞれ略Ｌの字状に接続されるように対称的に配設され、当該溝部３０７，３１７の深さｈ１が、図１６に示すように前記溝部３０８，３１８の深さｈ２に対して浅くなるように設定されている。
【００７１】
ＩＣタグシール６は、図１７に示すように第１実施例と同様に前記前面ケース３０のＩＣタグシール貼付部３０２と前記後面ケース３１のＩＣタグシール貼付部３１２とに跨るように貼り付けられる。すなわち、ＩＣタグシール６の短辺の貼り付け形状が、略コの字状になるようにＩＣタグシール貼付部３０２，３１２に貼り付けられるものである。また前記溝部３０７，３１７および前記溝部３０８，３１８は、貼り付けられたＩＣタグシール６によって隠れることのないような位置に配設され、一方前記ＩＣタグシール切断手段７０，７１に対応する位置に配設された前記溝部３０４，３１４は、前記ＩＣタグシール６によってその一部が隠されるようになっている。
【００７２】
次に本第２実施例の保護ケース４の具体的構成について、図１８ないし図２０を用いて説明する。
【００７３】
前記ＩＣタグシール貼付部３０２，３１２に装着された前記保護ケース４は、透光性材料によって構成される先端面４０ｃ、手前面４０ｄおよび奥面４０ｅに加え、図１９に示すようにその右端部に右側面４０ｂを備えるものである。
【００７４】
また係合爪部４２２ｄ，４２２ｅが、図１９および図２０に示すように前記手前面４０ｄおよび前記奥面４０ｅ内面から突設成形され、テーパー４２２０ｄ，４２２０ｅが、図２０（Ａ）中右方向の開放面に対して傾斜するように配設されるものである。当該係合爪部４２２ｄ，４２２ｅは、前記ＩＣタグシール貼付部３０２，３１２の前記溝部３０７，３１７を乗り越え、前記溝部３０８，３１８に到達したところで係合状態となるものである。
【００７５】
さらにＩＣタグシール切断手段７０，７１が、図２０（Ａ）および（Ｂ）に示すように前記先端面４０ｃ内面から垂直方向に突設され、前記ＩＣタグシール貼付部３０２，３１２の前記溝部３０４，３１４に対向するようになっている。
【００７６】
前記ＩＣタグシール切断手段７０，７１は、三角形形状の背面部７００とナイフエッジ状の鋭利なエッジ部７０１とによって構成され、当該エッジ部７０１，７１１が図２０（Ｂ）中右方向、すなわちＩＣタグシール切断手段７０，７１の進行方向に位置するように配設されているものである。
【００７７】
なお前記係合爪部４２２ｄ，４２２ｅおよび前記ＩＣタグシール切断手段７０，７１は、射出成形により前記保護ケース４と一体的に成形されるものである。
【００７８】
以下上記構成より成る本第２実施例の制御基板ケースの作用および効果について説明する。
【００７９】
前記保護ケース４を前記ＩＣタグシール貼付部３０２，３１２に取り付ける際の過程について、図２１（Ａ）ないし（Ｃ）および図２２（Ａ）ないし（Ｃ）に基づき説明する。
【００８０】
上記構成より成る本第２実施例の制御基板ケースにおいて、前記保護ケース４が前記ＩＣタグシール貼付部３０２，３１２に装着するために前記溝部３０７，３１７に沿って押し込まれると、図２２（Ａ）および（Ｂ）に示すように前記係合爪部４２２ｄ，４２２ｅの前記テーパー４２２０ｄ，４２２０ｅが、前記ＩＣタグシール貼付部３０２，３１２の前記溝部３０７，３１７の端部に当接し、保護ケース４が押し込まれる力によって前記保護ケース４の前記手前面４０ｄおよび前記奥面４０ｅが外方に向かって弾性変形して拡開する。
【００８１】
これにより前記保護ケース４を前記ＩＣタグシール貼付部３０２，３１２に対してさらに押し込むことが可能となり、図２２（Ｃ）に示すように前記係合爪部４２２ｄ，４２２ｅが前記溝部３０８，３１８に到達して、前記手前面４０ｄおよび前記奥面４０ｅが拡開状態から自然状態へと復帰することにより、前記保護ケース４が前記ＩＣタグシール貼付部３０２，３１２に対して係合して、係止位置に係止される。
【００８２】
なおこの際前記ＩＣタグシール切断手段７０，７１は、前記ＩＣタグシール貼付部３０２，３１２の前記先端面３０２ｃ，３１２ｃに配設された前記溝部３０４，３１４のＩＣタグシール６によって隠されていない右端部に侵入する。
【００８３】
次に保護ケース４が取り外される際の動作について、図２３（Ａ）ないし（Ｃ）および図２４（Ａ）ないし（Ｃ）を用いて説明する。
【００８４】
前記保護ケース４が、図２３（Ａ）に示す保護ケース４の係止位置における装着状態から、図２３（Ｂ）に示すように前記ＩＣタグシール貼付部３０２，３１２から前記溝部３０８，３１８に沿って図中下方にスライドさせられると、前記溝部３０４，３１４内に侵入した前記ＩＣタグシール切断手段７０，７１が、図２４（Ａ）および（Ｂ）に示すように前記溝部３０４，３１４に沿ってスライド移動し、その際前記ＩＣタグシール切断手段７０，７１の進行方向に位置する前記エッジ部７０１，７１１が前記ＩＣタグシール６を切断する。
【００８５】
そして前記エッジ部７０１，７１１が、図２４（Ｃ）に示すように前記ＩＣタグシール６の端部まで切断し終わり、前記ＩＣタグシール切断手段７０，７１が前記ＩＣタグシール貼付部３０２，３１２の前記溝部３０４，３１４から離脱すると、前記保護ケース４が前記ＩＣタグシール貼付部３０２，３１２から取り外される。
【００８６】
なお本第２実施例においては、図２５に示すように前記ＩＣタグシール切断手段７０，７１によって切断された前記ＩＣタグシール６を展開すると、前記ＩＣチップ６３の両端部に延びたアンテナ部６２のうち前記ＩＣチップ６３と前記アンテナ部６２の境界近傍の前記アンテナ部６２がそれぞれ一箇所ずつ切断され、合計２箇所が切断されている。具体的には、前記ＩＣチップ６３から前記ＩＣタグシール切断手段７０，７１によって切断された部分の中心までの距離ｄ１が、前記ＩＣチップ６３から前記アンテナ部６２の端部までの距離ｄ２の３分の１未満に収まるように設定されている。
【００８７】
上記作用を奏する本第２実施例の制御基板ケースは、係合用の部材としての前記係合爪部４２２ｄ，４２２ｅとＩＣタグシール切断用の部材としての前記ＩＣタグシール切断手段７０，７１を個別に配設したので、前記ＩＣタグシール切断手段７０，７１の前記ＩＣタグシール６を切断するために特化した鋭利な前記エッジ部７０１，７１１によって前記ＩＣタグシール６を容易にかつ確実に切断することが出来るという効果を奏する。
【００８８】
またＩＣタグシールを１箇所のみ切断した後に切断面を綺麗に元に戻された場合など、アンテナ部の有効範囲が充分に残存することに伴いＩＣチップとアンテナ部とによる通信機能がなおも有効に働く場合があるが、本第２実施例の制御基板ケースは、２つの前記ＩＣタグシール切断手段７０，７１によって前記ＩＣタグシール６のアンテナ部６２の２箇所を切断するだけではなく、前記ＩＣタグシール切断手段７０，７１によって前記ＩＣタグシール６の前記ＩＣチップ６３と前記アンテナ部６２の境界近傍の前記アンテナ部６２を切断するので、前記ＩＣタグシール６のアンテナ部６２の有効長範囲をリーダー・ライターとの通信機能が充分に働かなくなる範囲まで短く切断するため、上記のような問題を解消し、前記ＩＣチップ６３とアンテナ部６２とによる通信機能を確実に抹消して、検査時にＩＣタグシール６の切断事実の有無を確実に検知し、制御基板の改竄等の不正行為を的確に把握できるという効果を奏する。
【００８９】
さらに本第２実施例の制御基板ケースは、前記係合爪部４２２ｄ，４２２ｅおよび前記ＩＣタグシール切断手段７０，７１が前記保護ケース４と一体成形されるので、さらに部品点数が少なく、簡素な構成でコストダウンが可能となるという効果を奏する。
【００９０】
また本第２実施例の制御基板ケースは、前記保護ケース４が透光性材料によって構成されているので、保護ケース４内部（例えばＩＣタグシール６やＩＣタグシール切断手段７０，７１の存在）をあえて外部から把握できるようにして、不正行為者に対して不正行為の痕跡が残ることへの不安感を与え、これが抑止力となり、不正行為をある程度未然に防止できるという効果を奏する。
【実施例３】
【００９１】
本第３実施例の制御基板ケースは、図２６および図２７に示すように、前記保護ケース４が、切断手段を備えた前記先端面４０ｃ、手前面４０ｄ、奥面４０ｅおよび右側面４０ｂに加え左側面４０ａを備える点、および当該左側面４０ａに前記保護ケース４のその他の部分に対して脆弱性を付加した点が、上述の第２実施例との主な相違点であり、以下相違点を中心に説明する。
【００９２】
本第３実施例の保護ケース４は、図２６に示すように前記先端面４０ｃ、手前面４０ｄ、奥面４０ｅおよび右側面４０ｂに加え左側面４０ａを備え、当該左側面４０ａは、保護ケース４のその他の部分である前記先端面４０ｃ等に対して脆弱性を有し、具体的には、図中点線で示すコの字状の薄肉溝部を形成して前記左側面４０ａの中央部分とその他の部分との接合部分が簡単に破断するように構成されている。
【００９３】
なおその他のＩＣタグシール貼付部やＩＣタグシール切断手段等の構成は、実施例２と同様である。
【００９４】
以下上記構成より成る本第３実施例の制御基板ケースの作用および効果について説明する。
【００９５】
ここで前記保護ケース４を前記ＩＣタグシール貼付部３０２，３１２に取り付ける際は、実施例２同様前記係合爪部４２２ｄ，４２２ｅを前記溝部３０７，３１７に沿って押し込むことにより取り付けるものである。
【００９６】
保護ケース４が取り外される際の動作について、図２７（Ａ）ないし（Ｃ）を用いて説明する。
【００９７】
前記保護ケース４が、図２７（Ａ）に示す保護ケース４の装着状態から、図２７（Ｂ）に示すように前記ＩＣタグシール貼付部３０２，３１２から図中左方向にスライドさせられると、前記保護ケース４の前記左側面４０ａの内面が、前記ＩＣタグシール貼付部３０２，３１２の図中右端部に当接し、さらに保護ケース４がスライドさせられると、その力によって図中点線で示す前記左側面４０ａの中央部分が破断し、当該左側面４０ａの中央部分が脱落するものである。
【００９８】
なお、その他のＩＣタグシール６の切断方法や保護ケース４の取り外しの過程については実施例２と同様である。
【００９９】
上記作用を奏する本第３実施例の制御基板ケースは、不正行為者が前記保護ケース４をスライドさせて前記保護ケース４を取り外した際に、その他の部分に対して脆弱性を付加した前記保護ケース４の一部が、前記ＩＣタグシール貼付部３０２，３１２との接触によって破断するので、リーダー・ライターによる検査に加え、目視による不正行為の検査も可能にするという効果を奏する。
【０１００】
また本第３実施例の制御基板ケースは、実施例２同様、前記係合爪部４２２ｄ，４２２ｅおよび前記ＩＣタグシール切断手段７０，７１が前記保護ケース４と一体成形されるので、さらに部品点数が少なく、簡素な構成でコストダウンが可能となるという効果を奏する。
【０１０１】
上述の実施例は、説明のために例示したもので、本発明としてはそれらに限定されるものではなく、特許請求の範囲、発明の詳細な説明および図面の記載から当業者が認識することができる本発明の技術的思想に反しない限り、変更および付加が可能である。
【０１０２】
例えば上述した実施例において、ＩＣタグをシールに実装させたＩＣタグシールを用いる例について説明したが、本発明はこれらに限定されるものではなく、趣旨を逸脱しない範囲で、インレット単体を配設したり、ＩＣカードを実装させる態様にも適用可能である。さらに、パッシブ型のＩＣタグに限らず、セミパッシブやアクティブ型のＩＣタグの採用も可能である。
【０１０３】
また、ＩＣタグシールの切断箇所として、ＩＣチップの両側に延在するアンテナ部の１箇所もしくは２箇所を切断する例について説明したが、本発明はこれらに限定されるものではなく、ＩＣチップを直接切断および破壊する場合やその他のＩＣタグシールの１箇所のみを切断する場合や３箇所以上を切断する場合、さらには、ＩＣチップの両側に延在する前記アンテナ部のうち片側のアンテナ部のみ複数箇所切断する態様にも適用可能である。
【０１０４】
さらに、ＩＣタグシール切断手段として、例えば、刃部の形状をギザギザにしたり、刃部の材質を工夫してわざと切断面の表面性状を粗くするような刃部を採用することで、一旦切断されたＩＣタグシールを綺麗に戻しにくくして、保護ケースの開放事実を確実に検知する態様にも適用可能である。また、ＩＣタグシールの切断の態様として、直線的にＩＣタグシールを切断する例について説明したが、例えば、針状の刃部でＩＣチップを貫通する態様や、円形の刃部やジグザグ状に構成された刃部を用いることで、その他の切断態様でＩＣタグシールを切断する例にも適用可能である。
【０１０５】
上述の第１実施例においてのみ、前記保護ケース４を不透明の非透光性材料によって構成する例について説明したが、本発明はこれに限定されるものではなく、その他の実施例においても保護ケース４を非透光性材料によって構成することが可能であり、その逆に第１実施例において前記保護ケース４を透光性材料によって構成する態様にも適用可能である。
【０１０６】
また、上述した実施例において、前記保護ケース４を前記ＩＣタグシール貼付部３０２，３１２から直線的にスライドさせて取り外す例について説明したが、本発明はそれに限定されるものではなく、例えば曲線的にスライドさせて取り外しが行われる態様やその他の態様にも適用可能である。
【０１０７】
また、上述の実施例において、前面ケースと後面ケースによって構成される制御基板ケースについて説明したが、本発明はこれらに限定されるものではなく、制御基板ケースの構成が如何なるものであっても、内部に格納された制御基板にアクセスするために開放される境界部位に跨るようにＩＣタグシールを貼り付けるその他の態様にも適用可能である。
【０１０８】
さらに上述の実施例において、本発明を適用する制御基板ケースとして、もっとも改竄の対象とされやすい主制御基板を格納する主制御基板ケースについて説明したが、本発明はこれらに限定されるものではなく、例えば、音声制御基板や図柄制御基板等のその他の制御基板ケースに採用する態様にも適用可能である。
【産業上の利用可能性】
【０１０９】
内部に制御基板が格納される制御基板ケースであって、ＩＣタグシール貼付部がそれぞれに形成され、互いに分離可能な複数のケース体と、前記ＩＣタグシール貼付部間を跨ぐように張り付けられ、ＩＣチップとアンテナとを備えるＩＣタグシールと、前記ＩＣタグシール貼付部の係止位置に形成された被係止部に係止部が係止され、当該ＩＣタグシール貼付部を包囲して前記ＩＣタグシールを保護する保護ケースと、前記保護ケース内の一部に配設され、前記保護ケースを取り外す際に前記ＩＣタグシールを切断するＩＣタグシール切断手段とを備え、前記ＩＣタグシール貼付部の係止位置から前記ＩＣタグシール貼付部の端部にかけてスライド溝が形成され、前記保護ケースが取り外され、前記保護ケースの前記係止部が前記ＩＣタグシール貼付部の前記係止位置から前記スライド溝に沿ってスライドさせられた際に、前記ＩＣタグシール切断手段が、前記ＩＣタグシールの少なくとも一部を切断するように構成され、通常時には、ＩＣタグシールを外部との接触およびアクセスから保護するとともに、前記保護ケースがスライドさせられたときには、不正行為が行われた可能性があることを適確に把握するという用途に適用できる。
【符号の説明】
【０１１０】
１  パチンコ遊技機
３  主制御基板ケース
３０  前面ケース
３０２  ＩＣタグシール貼付部
３１  後面ケース
３１２  ＩＣタグシール貼付部
４  保護ケース
５  主制御基板
６  ＩＣタグシール
【図１】
2010284445.tif 000003
【図２】
2010284445.tif 000004
【図３】
2010284445.tif 000005
【図４】
2010284445.tif 000006
【図５】
2010284445.tif 000007
【図６】
2010284445.tif 000008
【図７】
2010284445.tif 000009
【図８】
2010284445.tif 000010
【図９】
2010284445.tif 000011
【図１０】
2010284445.tif 000012
【図１１】
2010284445.tif 000013
【図１２】
2010284445.tif 000014
【図１３】
2010284445.tif 000015
【図１４】
2010284445.tif 000016
【図１５】
2010284445.tif 000017
【図１６】
2010284445.tif 000018
【図１７】
2010284445.tif 000019
【図１８】
2010284445.tif 000020
【図１９】
2010284445.tif 000021
【図２０】
2010284445.tif 000022
【図２１】
2010284445.tif 000023
【図２２】
2010284445.tif 000024
【図２３】
2010284445.tif 000025
【図２４】
2010284445.tif 000026
【図２５】
2010284445.tif 000027
【図２６】
2010284445.tif 000028
【図２７】
2010284445.tif 000029
【図２８】
2010284445.tif 000030
【図２９】
2010284445.tif 000031